(57)【要約】【課題】形状が異なる種々の対象物体の外面にも密着可能な液噴射吸引用部材と、この液噴射吸引用部材を備えた液噴射吸引装置を提供する。【解決手段】拡径部１ａを備えたエラストマー製のパッド１を体表面Ｆに密着させ、始動スイッチをＯＮにすると、ポンプ２２及び加圧空気供給機３３が始動する。これにより、温水タンク２１内の温水がフィルタ２３、配管１３、流量調節バルブ１１を介してノズル３に供給され、ノズル３から体表面Ｆに向って噴出され、体表面のマッサージが行われる。体表面Ｆに当った水は、空気孔５から吸引される空気と共に、パッド１の流出口４から配管１４を介してエゼクタ３４に吸引され、温水タンク２１へ返送される。【選択図】図２
2010051528.tif 000002
【特許請求の範囲】
【請求項１】
液体を吐出するノズルを保持するための筒状部と、
該筒状部の一端に連なっており、筒状部から離れるほど拡径する形状の拡径部とを有しており、
該拡径部には、該拡径部内から液を吸引するための吸引開口部と、該拡径部内に空気を流入させるための空気流入孔とが設けられており、
少なくとも該拡径部はエラストマーにて成形されていることを特徴とする液噴射吸引用部材。
【請求項２】
液体を吐出するノズルを保持するための筒状部と、
該筒状部の一端に連なった蛇腹部と、
該蛇腹部に連なっており、該蛇腹部から離れるほど拡径する形状またはワッシャ形状の対象面接触部とを有しており、
該蛇腹部には、該蛇腹部内から液を吸引するための吸引開口部と、該蛇腹部内に空気を流入させるための空気流入孔とが設けられており、
少なくとも該蛇腹部と対象面接触部とはエラストマーにて一体に成形されていることを特徴とする液噴射吸引用部材。
【請求項３】
請求項１または２において、全体がエラストマーにて一体に成形されていることを特徴とする液噴射吸引用部材。
【請求項４】
請求項１ないし３のいずれか１項に記載の液噴射吸引用部材の前記管状部に液噴射ノズルが保持され、前記吸引開口部に吸引手段に連絡する吸引管が接続されていることを特徴とする液噴射吸引装置。
【発明の詳細な説明】
【技術分野】
【０００１】
本発明は、人体や動物、建物、機械装置などの各種対象物体に向って液を吐出すると共に、対象物体に当った液を吸引排出する用途に用いられる液噴射吸引用部材及び液噴射吸引装置に関する。
【背景技術】
【０００２】
対象物体に向って液を噴射すると共に、対象物体に当った液を吸引排出することにより該対象物体の表面の洗浄を行うカーペットクリーナーが特開平１１−９９１１１号に記載されている。
【０００３】
同号公報に記載のカーペットクリーナー用ウォンドノズル装置は、バキュームポンプに接続され、先端側に吸引口を有したバキュームヘッドと、該バキュームヘッドに取り付けられた、洗浄水を噴射するための噴射ノズルとを備えている。バキュームヘッドは、同号公報の図１，２，７等に図示の通り、先端側に向って幅が広がる三角形盤状となっている。このバキュームヘッドの先端面に横長の吸引口が設けられている。噴射ノズルはバキュームヘッドの外側に設置されている。
【０００４】
バキュームヘッドには、第００３３段落の通り、この噴射ノズルを取り囲むようにコ字形断面形状の軟質合成樹脂製のカバー体が取り付けられている。第００３５段落の通り、このカバー体には、該カバー体とバキュームヘッドとによって囲まれた空間内に該カバー体の外側から空気を導入するための空気導入孔が設けられている。
【０００５】
このカーペットクリーナー用ウォンドノズル装置によりカーペットを洗浄する場合には、バキュームヘッドの先端面をカーペットに当て、噴射ノズルから洗浄水をカーペットに噴射してカーペットを洗浄しながら、その汚水をバキュームヘッドにより吸引する。
【０００６】
特開２００４−２６７４００号には、排泄物を吸引回収すると共に、局部に洗浄水を噴射して局部を洗浄する排泄物処理装置が記載されている。
【０００７】
特開２００４−２６７４００号の排泄物処理装置は、使用者の股間部に密着する形状の排泄物受け口を有した筒状の排泄物受け部を備えている。この排泄物受け口の周縁は、股間部との密着性及び密閉性を高めるために、合成ゴム材料（第０００８段落）よりなる密着パッドにより形成されている。排泄物受け部は、吸引ホースを介して吸引装置に接続されている。排泄物受け部内には、局部に向って洗浄水を噴射する噴射口が設けられている。排泄物受け部には、該排泄物受け部内に空気が流入する吸気孔（第００１２段落）が設けられている。吸引装置の稼働中にこの吸気孔から排泄物受け部内に空気が流入することにより、円滑に吸引が行われる。
【特許文献１】特開平１１−９９１１１号公報
【特許文献２】特開２００４−２６７４００号公報
【発明の開示】
【発明が解決しようとする課題】
【０００８】
上記特開平１１−９９１１１号のカーペットクリーナー用ウォンドノズル装置においては、カバー体は柔軟性のある合成樹脂により形成されている（同号公報の[００３３]段落）が、コ字形断面形状であるため、カーペットのように平坦な対象面には密着するが、湾曲した対象面には密着させることは難しい。
【０００９】
上記特開２００４−２６７４００号の排泄物処理装置においては、排泄物受け口の周縁は合成ゴム材料製となっているが、この排泄物受け口は、人体の股間部に密着するようにこの股間部の外面形状に倣った形状となっている。そのため、この排泄物受け口を股間部以外の場所に当てても、この排泄物受け口が密着しない。
【００１０】
本発明は形状が異なる種々の対象物体の外面にも密着可能な液噴射吸引用部材と、この液噴射吸引用部材を備えた液噴射吸引装置を提供することを目的とする。
【課題を解決するための手段】
【００１１】
請求項１の液噴射吸引用部材は、液体を吐出するノズルを保持するための筒状部と、該筒状部の一端に連なっており、筒状部から離れるほど拡径する形状の拡径部とを有しており、該拡径部には、該拡径部内から液を吸引するための吸引開口部と、該拡径部内に空気を流入させるための空気流入孔とが設けられており、少なくとも該拡径部はエラストマーにて成形されていることを特徴とするものである。
【００１２】
請求項２の液噴射吸引用部材は、液体を吐出するノズルを保持するための筒状部と、該筒状部の一端に連なった蛇腹部と、該蛇腹部に連なっており、該蛇腹部から離れるほど拡径する形状またはワッシャ形状の対象面接触部とを有しており、該蛇腹部には、該蛇腹部内から液を吸引するための吸引開口部と、該蛇腹部内に空気を流入させるための空気流入孔とが設けられており、少なくとも該蛇腹部と対象面接触部とはエラストマーにて一体に成形されていることを特徴とするものである。
【００１３】
請求項３の液噴射吸引用部材は、請求項１または２において、全体がエラストマーにて一体に成形されていることを特徴とするものである。
【００１４】
請求項４の液噴射吸引装置は、請求項１ないし３のいずれか１項に記載の液噴射吸引用部材の前記管状部に液噴射ノズルが保持され、前記吸引開口部に吸引手段に連絡する吸引管が接続されていることを特徴とするものである。
【発明の効果】
【００１５】
本発明（請求項１）の液噴射吸引用部材にあっては、ノズルを保持する管状部の一端に、該管状部から離隔するほど拡径する拡径部が設けられており、且つ少なくともこの拡径部がエラストマーにて構成されているので、対象物体の外面形状が種々さまざまであっても、この拡径部が対象物体の外面形状に倣って柔軟に変形して対象物体の外面に密着するようになる。また、拡径部に液を吸引するための吸引開口部が設けられているため、拡径部内に液を残留させることなく吸引することが可能となる。
【００１６】
本発明（請求項２）の液噴射吸引用部材にあっては、ノズルを保持する管状部の一端に蛇腹部が接続され、この蛇腹部に、該蛇腹部から離隔するほど拡径する形状又はワッシャ形状の対象面接触部が接続されており、且つ少なくともこの蛇腹部及び対象面接触部がエラストマーにて構成されているので、対象物体の外面形状が種々さまざまであっても、この対象面接触部が対象物体の外面形状に倣って柔軟に変形して対象物体の外面に密着するようになる。
【００１７】
本発明（請求項４）の液噴射吸引装置は、かかる本発明の液噴射吸引用部材を備えているので、対象物体の外面形状が種々様々であっても、液噴射吸引用部材が対象物体の外面に密着するため、液が周囲に飛び散ることがない。
【発明を実施するための最良の形態】
【００１８】
以下、図面を参照して実施の形態について説明する。
【００１９】
第１図は実施の形態に係る液噴射吸引用部材を備えた液噴射吸引装置としての洗浄・マッサージ装置のフロー図、第２図はこの洗浄・マッサージ装置の液噴射部付近の断面図、第３図はパッドの斜視図、第４図は洗浄・マッサージ装置の全体図である。
【００２０】
第２図の通り、この実施の形態では、液噴射吸引用部材としてのパッド１は体表面（この実施の形態では顔面側部）Ｆに押し当てて使用されるものである。パッド１はエラストマー（例えばシリコーン系エラストマー）製のものであり、体表面Ｆ側ほど（即ち、後述の筒状部６から離隔するほど）大径となるように拡径した拡径部１ａを有し、体表面Ｆに柔軟に密着可能となっている。この拡径部１ａのテーパ角θ（第２図）は１５〜１７５°特に３０〜１２０°程度が好ましい。エラストマーの硬度はシェア硬度で１０〜１００度特に４０〜８０度程度が好ましい。
【００２１】
パッド１の後端側は、該拡径部１ａに連なった筒状部６となっている。この筒状部６は拡径部１ａと一連一体に成形されたものであり、該拡径部１ａと同軸状となっている。この筒状部６に円筒状のグリップ１０が嵌着されている。この実施の形態では、グリップ１０の先端が筒状部６内に差し込まれることにより固定されている。
【００２２】
拡径部１ａ内は空洞状となっており、体表面Ｆに押し当てると、拡径部１ａと体表面Ｆとによって囲まれた空室２が形成される。
【００２３】
この空室２内を通って体表面Ｆに向って水を噴出するようにノズル３が設けられている。このノズル３はグリップ１０に保持されている。拡径部１ａには、パッド１内から水を流出させるための流出口（吸引開口部）４が設けられると共に、水の吸引排出時に空室２内に空気を流入させるように空気流入孔（以下、空気孔と略）５が設けられている。
【００２４】
グリップ１０内には流量調節バルブ１１が設置されており、この流量調節バルブ１１の流量調節ダイヤル１１ａがグリップ１０の外面に配置されている。前記ノズル３は、その後端がこの流量調節バルブ１１に接続され、先端が空室２内に突出している。
【００２５】
グリップ１０の後端には柔軟に屈曲可能なゴム又は合成樹脂製のホース１２が接続されている。このホース１２内に給水配管１３と排水配管１４が引き通されている。給水配管１３は、グリップ１０内の流量調節バルブ１１に接続されている。排水配管１４は、グリップ１０の筒壁を通ってパッド１の流出口４に接続されている。
【００２６】
第１図及び第４図の通り、洗浄・マッサージ装置のマシンケーシング２０内に温水タンク２１が設置されており、温水タンク２１内の温水がポンプ２２、水浄化処理用のフィルタ２３を介して給水配管１３に供給される。なお、フィルタ２３の出口側は、リリーフバルブ２４を有したリリーフ配管２５を介して温水タンク２１に接続されており、所定圧の温水がフィルタ２３、配管１３、流量調節バルブ１１を介してノズル３に供給されるように構成されている。
【００２７】
温水タンク２１には水位センサ２６が設けられ、所定水位となるように給水弁２７を介して水道水などの給水が導入可能とされている。なお、水は水道水に限定されるものではなく、薬剤や芳香剤などを添加した液であってもよい。
【００２８】
温水タンク２１の下部にはヒータ２８及び温度センサ２９が設けられており、温水タンク２１内に所定温度の温水が貯留されるよう構成されている。温水タンク２１の下部には、排水バルブ３１を有した排出配管３０が接続されている。
【００２９】
前記排水配管１４の末端は、マシンケーシング２０内に設置された吸引手段としてのエゼクタ３４の吸引部に接続されている。このエゼクタ３４の作動流体流入口にはコンプレッサ等の加圧空気供給機３３から加圧空気が導入され、配管１４を介してパッド１内の水を吸引し、配管３５を経て温水タンク２１へ返送するよう構成されている。温水タンク２１の頂部の空気逃がし口には水滴捕集部３６が設けられている。
【００３０】
第４図の通り、ケーシング２０のスイッチパネル３７には、始動・停止操作スイッチのほか、作動時間設定スイッチ、作動形態選択スイッチ、ノズル噴出水量、温水温度等を調節するための各種スイッチや、動作状態を表示するランプ、インジケータ等が設けられている。ケーシング２０内にはホース１２の巻取機構が設けられており、必要な長さだけホース１２を引き出して使用することが可能となっている。ホース１２をすべて巻き取ったときにパッド１及びグリップ１０がケーシング２０内に収容されるようにしてもよい。この場合、収容したパッド１及びグリップ１０を隠すカバーを設けてもよい。
【００３１】
このように構成された洗浄・マッサージ装置において、パッド１を体表面Ｆに密着させ、始動スイッチをＯＮにすると、ポンプ２２及び加圧空気供給機３３が始動する。これにより、温水タンク２１内の温水がフィルタ２３、配管１３、流量調節バルブ１１を介してノズル３に供給され、ノズル３から体表面Ｆに向って噴出され、体表面Ｆに噴出水が当ってマッサージが行われる。体表面Ｆに当った水は、空気孔５から吸引される空気と共に、パッド１の流出口４から配管１４を介してエゼクタ３４に吸引され、温水タンク２１へ返送される。
【００３２】
このようにして、体表面Ｆがノズル噴出水で洗浄ないしはマッサージされる。なお、洗浄やマッサージの強さをダイヤル１１ａによって調節することができる。この実施の形態では、パッド１はエラストマーよりなり、且つ体表面Ｆ側ほど拡径する拡径部１ａが体表面Ｆに当接するので、体表面Ｆが湾曲していてもパッド１が体表面Ｆに密着する。そのため、体表面Ｆに当って飛散した水がパッド１外には飛散しないので、手以外の体表面であっても洗浄やマッサージを手軽に行うことができる。この実施の形態の洗浄・マッサージ装置は、特に顔面や首などの洗浄やマッサージを行うのに好適である。
【００３３】
また、この実施の形態では、ケーシング２０内に温水タンク２１を設置し、噴出水を該温水タンク２１に戻して再度噴出水として利用するので、節水になると共に、水道の蛇口や排水設備が無い箇所に洗浄・マッサージ装置を設置することができる。この実施の形態では、パッド１に空気孔５を設けているので、パッド１内の水が空気と共にスムーズに配管１４へ流出する。また、パッド１内が過度に減圧状態となることがなく、パッド１が過度に強く体表面に吸い付くことも防止される。
【００３４】
この実施の形態では、ノズル３から温水を噴出させるので、使用者に突然に冷水（例えば常温水）が当ることがなく、快適に使用することができる。ただし、夏季などにあっては、温水の代わりに室温程度の温度の常温水を噴出するようにしてもよく、場合によっては冷却器を組み込んで低温水を噴出するようにしてもよい。
【００３５】
本発明では、温水と冷水（常温水や冷たい低温水）とを交互に噴出し、マッサージ効果を高めるようにしてもよい。噴出水量を周期的に増減させてもよい。また、先に界面活性剤などの洗浄剤を含んだ水を噴出させ、その後、清水を噴出させて洗浄剤成分をすすぎ流すようにしてもよい。
【００３６】
上記実施の形態では、１台のマシンケーシング２０に１組のパッド１及びホース１２が接続されているが、複数組のパッド及びホースを接続してもよい。
【００３７】
この実施の形態では、使用する液は水道水でよく、使用後の水は下水に流すことができる。また、家庭や事務所の電源で使用でき、ランニングコストが安い。
【００３８】
この実施の形態の洗浄・マッサージ装置は、コンパクトで軽量となるため、手軽に移動させることができる。なお、マシンケーシング２０にキャスタを設け、移動させ易くしてもよい。
【００３９】
この実施の形態によれば、水に香りや天然素材の既知の薬効成分を加えることにより、温水加圧水による皮脂や角質の除去効果やツボ刺激効果以上の付加的な効果を期待することもできる。
【００４０】
上記実施の形態においては、流量調節バルブ１１を閉めてノズル３への温水の流れを止めた場合には、温水タンク２１内の温水がポンプ２２により水浄化用のフィルタ２３、リリーフバルブ２４を有したリリーフ配管２５を介して温水タンク２１に戻る循環ラインが形成されるため、温水タンク２１内の温水がフィルタ２３により清浄に保たれる。
【００４１】
なお、上記のフィルタ２３のフィルタエレメントは定期的に交換するのが好ましい。フィルタの代わりに又はフィルタと共に、その他の浄化手段（例えば紫外線殺菌器など）を設けてもよい。フィルタとしては、不織布、スポンジ等の濾材のほか、活性炭など各種のものを用いることができる。
【００４２】
本発明では、メンテナンスの為に、洗浄液タンクを設置し、スイッチパネル３７のメンテナンススイッチを押すと自動洗浄が始まり、装置内の洗浄が行われるよう構成してもよい。この場合、使用後の洗浄液を配管３０から排出する。
【００４３】
上記実施の形態のパッド１では拡径部１ａを１段のみ設けているが、第５，６図のパッド１Ａのように、拡径部１ａの先端側に、縮径部１ｃを介して、該拡径部１ａと同様の拡径部１ｂを連設して蛇腹状としたものであってもよい。この拡径部１ｂは対象面接触部を構成している拡径部１ｂのテーパ角は前記と同様であることが好ましい。なお、第５図はパッド１Ａの斜視図、第６図はこのパッド１Ａとグリップ１０との連結体よりなる液噴射部付近の断面図である。第６図のパッド以外の構成は第２図と同一であり、同一符号は同一部分を示している。
【００４４】
本発明では、第７図のパッド１Ｂのように縮径部１ｃの先端側に、放射方向に拡開する平板状のワッシャ形状のフランジ部１ｄを対象面接触部として設けてもよい。
【００４５】
また、第８図のパッド１Ｃのように拡径部１ｂの先端側にさらに拡径部１ｅを設けて３段の蛇腹状としてもよく、図示はしないが４段以上の蛇腹状としてもよい。この拡径部１ｅも対象面接触部を構成している。
【図面の簡単な説明】
【００４６】
【図１】実施の形態に係る洗浄・マッサージ装置のフロー図である。
【図２】洗浄・マッサージ装置の液噴射部付近の断面図である。
【図３】パッドの斜視図である。
【図４】洗浄・マッサージ装置の全体図である。
【図５】別の実施の形態に係るパッドの斜視図である。
【図６】図５のパッドを備えた液噴射部の断面図である。
【図７】さらに別の実施の形態に係るパッドの断面図である。
【図８】異なる実施の形態に係るパッドの斜視図である。
【符号の説明】
【００４７】
１，１Ａ，１Ｂ，１Ｃ  パッド（液噴射吸引用部材）
１ａ  拡径部
１ｂ  拡径部（対象面接触部）
１ｃ  縮径部
１ｄ  フランジ部（対象面接触部）
２  空室
３  ノズル
４  流出口（吸引開口部）
５  空気流入孔（空気孔）
１０  グリップ
１１  流量調節バルブ
１２  ホース
２１  温水タンク
２２  ポンプ
２３  フィルタ
２８  ヒータ
３４  エゼクタ
【図１】
2010051528.tif 000003
【図２】
2010051528.tif 000004
【図３】
2010051528.tif 000005
【図４】
2010051528.tif 000006
【図５】
2010051528.tif 000007
【図６】
2010051528.tif 000008
【図７】
2010051528.tif 000009
【図８】
2010051528.tif 000010